(57)【要約】      （修正有）【課題】外表面が平滑な可撓管を確実に制動する可撓管用制動装置を提供する。【解決手段】吐水具に接続される移動自在な可撓管Ｂに対しその外表面Ｂ１と接触して設けられるスリーブ１と、スリーブ１の外側を覆うように設けられて移動規制部材Ｄと当接するストッパー２と、を備え、スリーブ１は、その径方向へ弾性的に拡径及び縮径変形させる弾性変形部１ａを有し、弾性変形部１ａによる縮径時においてスリーブ１の内径を可撓管Ｂの外径よりも小さくなるように設定し、ストッパー２は、スリーブ１の外周面１ｃと対向する内面に、スリーブ１の外周面１ｃと摺接に伴ってスリーブ１の外周面１ｃを径方向内側に押圧する縮径手段２ａを有する。【選択図】図１
2014055421.tif 000002
【特許請求の範囲】
【請求項１】
吐水具に接続される移動自在な可撓管に対しその外表面と接触して設けられるスリーブと、
前記スリーブの外側を覆うように設けられて移動規制部材と当接するストッパーと、を備え、
前記スリーブは、その径方向へ弾性的に拡径及び縮径変形させる弾性変形部を有し、前記弾性変形部による縮径時において前記スリーブの内径を前記可撓管の外径よりも小さくなるように設定し、
前記ストッパーは、前記スリーブの外周面と対向する内面に、前記スリーブの前記外周面と摺接に伴って前記スリーブの前記外周面を径方向内側に押圧する縮径手段を有していることを特徴とする可撓管用制動装置。
【請求項２】
前記ストッパーの前記縮径手段が、前記ストッパーの前記内面において軸方向端部に向かって徐々に縮径するように形成される傾斜面であることを特徴とする請求項１記載の可撓管用制動装置。
【請求項３】
前記スリーブの軸方向両端部に一対の前記弾性変形部をそれぞれ形成し、前記スリーブの軸方向両端部の前記外周面と対向する前記ストッパーの前記内面の軸方向両端部に、一対の前記縮径手段をそれぞれ形成したことを特徴とする請求項１又は２記載の可撓管用制動装置。
【発明の詳細な説明】
【技術分野】
【０００１】
本発明は、洗面台や流し台で使用される引き出し可能な可撓管を有する水栓などにおいて、シャワーヘッドなどの吐水具に接続される可撓管に装置され、吐水具の引き出し量を制限するために用いられる可撓管用制動装置に関する。
【背景技術】
【０００２】
従来、この種の可撓管用制動装置として、ホース用のストッパーが、複数の分割体を備え、一方の分割体には前記蛇腹ホースの外周面に形成された凹部に係合する突部と、前記凹部に前記突部を係合させた状態を保持する保持手段とが設けられ、前記蛇腹ホースに保持された一方の前記分割体に対し他方の分割体を結合することで蛇腹ホースに装着され、シャワーヘッドのホルダーから前記蛇腹ホースを引出し時に、ストッパーを水栓の接続筒に当接させることにより、前記シャワーヘッドが前記蛇腹ホースと共に前記ホルダーから引出される長さを制限するものがある（例えば、特許文献１参照）。
【先行技術文献】
【特許文献】
【０００３】
【特許文献１】特開２００７−９２３５７号公報
【発明の概要】
【発明が解決しようとする課題】
【０００４】
しかし乍ら、このような従来の可撓管用制動装置では、ストッパーの突部を蛇腹ホースの外周面の凹部に係合させる構造であるため、蛇腹ホースに代えて、外表面が平滑な可撓管を用いた場合には、可撓管に対してストッパーが位置ズレして可撓管を確実に制動できず、設定長さ以上に可撓管を引き出すおそれがある。
それにより、可撓管が設定長さ以上に引き出されることで、可撓管において水栓との接続部などが必要以上に折り曲げられてしまい、損傷し易くなるだけでなく水漏れ事故などに発展するおそれがあるという問題があった。
【０００５】
本発明は、このような問題に対処することを課題とするものであり、外表面が平滑な可撓管であっても確実に制動すること、などを目的とするものである。
【課題を解決するための手段】
【０００６】
このような目的を達成するために本発明は、吐水具に接続される移動自在な可撓管に対しその外表面と接触して設けられるスリーブと、前記スリーブの外側を覆うように設けられて移動規制部材と当接するストッパーと、を備え、前記スリーブは、その径方向へ弾性的に拡径及び縮径変形させる弾性変形部を有し、前記弾性変形部による縮径時において前記スリーブの内径を前記可撓管の外径よりも小さくなるように設定し、前記ストッパーは、前記スリーブの外周面と対向する内面に、前記スリーブの前記外周面と摺接に伴って前記スリーブの前記外周面を径方向内側に押圧する縮径手段を有していることを特徴とする。
【発明の効果】
【０００７】
前述した特徴を有する本発明は、吐水具の引き出しによる可撓管の移動に伴い、ストッパーが移動規制部材に突き当たることで、ストッパーの移動が制動され、この状態から更なる吐水具の引き出しにより可撓管をそれ以上に移動させようとしても、可撓管の外表面とスリーブの内周面の摩擦抵抗で連動するスリーブの外周面が、ストッパーの内面に沿って摺動し、縮径手段でスリーブの外周面を径方向内側に押圧し、それにより、スリーブが弾性変形部で縮径変形されて、スリーブの内周面が可撓管の外表面に密着し、可撓管の抜け移動が阻止される。
したがって、外表面が平滑な可撓管であっても確実に制動することができる。
その結果、ストッパーの突部を蛇腹ホースの外周面の凹部に係合させる構造である従来のものに比べ、蛇腹ホースに代えて用いた外表面が平滑な可撓管は設定長さ以上に引き出されず、それに伴って外表面が平滑な可撓管は必要以上に折り曲げられることがなくなるため、損傷や水漏れ事故などを確実に防止することができる。
【図面の簡単な説明】
【０００８】
【図１】本発明の実施形態に係る可撓管用制動装置の全体構成を示す説明図であり、（ａ）が正面図、（ｂ）が左側面図、（ｃ）が縦断正面図である。
【図２】同斜視図であり、（ａ）がストッパーを閉じた状態を示し正面図、（ｂ）がストッパーを開いた状態を示している。
【図３】スリーブを異なる方向から見た斜視図である。
【図４】ストッパーを異なる方向から見た斜視図で、開いた状態を示している。
【図５】吐水具の可撓管に装着した使用状態の縮小正面図である。
【発明を実施するための形態】
【０００９】
以下、本発明の実施形態を図面に基づいて詳細に説明する。
本発明の実施形態に係る可撓管用制動装置Ａは、図１〜図５に示すように、例えば洗面台や流し台で使用される引き出し可能な可撓管Ｂを収納した水栓などにおいて、シャワーヘッドなどの吐水具Ｃに接続される可撓管Ｂに対し、吐水具Ｃの引き出し量を制限するために装置される。
詳しく説明すると、本発明の実施形態に係る可撓管用制動装置Ａは、吐水具Ｃに接続される移動自在な可撓管Ｂに対しその外表面Ｂ１と接触して設けられる内側のスリーブ１と、スリーブ１の外側を覆うように設けられて移動規制部材Ｄと当接する外側のストッパー２と、を主要な構成要素として備えている。
【００１０】
内側のスリーブ１は、例えばポリアセタール樹脂やそれ以外の表面の滑り性と耐熱性に優れた合成樹脂などの弾性変形可能な材料で略円筒状に形成され、可撓管Ｂの外表面Ｂ１とその径方向に対向するように取り付けられる。
さらに、スリーブ１は、その径方向へ弾性的に拡径及び縮径変形させる弾性変形部１ａを有している。
スリーブ１の拡径時には、スリーブ１の内径を可撓管Ｂの外径と略同じに設定しているが、弾性変形部１ａによるスリーブ１の縮径時には、スリーブ１の内径を可撓管Ｂの外径よりも小さくなるように設定している。
弾性変形部１ａの具体例としては、図１〜図４に示される場合、スリーブ１及び可撓管Ｂの軸方向へ延びるすり割りや凹みなどの切欠部１ａ１が、スリーブ１の周方向へ複数個それぞれ所定間隔毎に凹状に形成され、切欠部１ａ１の間隔を縮小させることで、スリーブ１が径方向へ弾性的に伸縮変形してスムーズに縮径され、スリーブ１の内周面１ｂを可撓管Ｂの外表面Ｂ１に密着させるように構成されている。
また、その他の例として図示しないが、弾性変形部１ａとして切欠部１ａ１をスリーブ１の周方向へ単数のみ凹状に形成し、切欠部１ａ１の間隔が変化することで、スリーブ１を径方向へ弾性的に伸縮変形させることも可能である。
【００１１】
スリーブ１の内周面１ｂには、可撓管Ｂの外表面Ｂ１との摩擦抵抗を大きくするために凹凸面１ｂ１を形成することが好ましい。
凹凸面１ｂ１の具体例としては、図１〜図４に示される場合、断面鋸歯状に形成している。
また、その他の例として図示しないが、凹凸面１ｂ１として断面鋸歯状と別形状に形成することも可能である。
さらに、スリーブ１の外周面１ｃは、図１〜図４に示されるように、スリーブ１の軸方向端部に向かって徐々に縮径するように形成される傾斜面１ｃ１であることが好ましい。
【００１２】
外側のストッパー２は、例えばポリアセタール樹脂やそれ以外の表面の滑り性と耐熱性に優れた合成樹脂などの弾性変形可能な材料で、その内径がスリーブ１の外径と略同じ略円筒状に形成され、スリーブ１に対してその外側を覆うように配置されるとともに、吐水具Ｃの引き出しによる可撓管Ｂの引き出し移動に伴ってスリーブ１と一緒に移動するように取り付けられる。
さらに、スリーブ１の外周面１ｃと対向するストッパー２の内面には、スリーブ１の外周面１ｃと摺接に伴ってスリーブ１の外周面１ｃを径方向内側に押圧する縮径手段２ａを有している。
縮径手段２ａの具体例としては、図１〜図４に示される場合、ストッパー２の内面において軸方向端部に向かって徐々に縮径するように形成される傾斜面２ａ１である。
また、その他の例として図示しないが、スリーブ１の外周面１ｃがスリーブ１の軸方向端部に向かって徐々に縮径するように形成される傾斜面１ｃ１である場合には、縮径手段２ａとして、傾斜面２ａ１に代えスリーブ１の外周面１ｃと摺接する筒状内面を形成することも可能である。
【００１３】
そして、ストッパー２は、吐水具Ｃの引き出しによる可撓管Ｂの引き出し移動に伴って移動規制部材Ｄと当接するように構成されている。
図１（ｃ）及び図５に示される例では、吐水具Ｃとしてシャワーヘッドが接続された可撓管Ｂを、水栓Ｅの内部に引き出し自在に収納している。水栓Ｅは、その基部Ｅ１が洗面台や流し台などのカウンターＦを貫通するように取り付けられ、給水源に通じる水管Ｅ２と給湯源に通じる湯管Ｅ３から供給される湯水の吐水流量又は混合温度の調節を、ハンドルＥ４の操作に基づいて弁機構Ｅ５で行い、弁機構Ｅ５により吐水流量又は混合温度の調節した湯水が、可撓管Ｂを介して吐水具Ｃへ供給されるように構成されている。水栓Ｅの基部Ｅ１には、移動規制部材Ｄとしてストッパー２の外径よりも小径なカバーパイプが、可撓管Ｂの外周を覆うように固定配備され、移動規制部材Ｄとなるカバーパイプの末端開口部Ｄ１に対して、ストッパー２の先端面２ｂが突き当たるようにしている。
また、その他の例として図示しないが、水栓Ｅの構造、カウンターＦに対する水栓Ｅの取り付け構造、移動規制部材Ｄの構造を図示例とは別構造に変更することも可能である。
【００１４】
このような本発明の実施形態に係る可撓管用制動装置Ａによると、吐水具Ｃの引き出しによる可撓管Ｂの引き出し移動に伴い、ストッパー２が移動規制部材Ｄに突き当たることで、ストッパー２の移動が制動される。この状態から更なる吐水具Ｃの引き出しによって、可撓管Ｂをそれ以上に引き出し移動させると、可撓管Ｂの外表面Ｂ１とスリーブ１の内周面１ｂ（凹凸面１ｂ１）の摩擦抵抗でスリーブ１が同方向へ連動し、それに伴いスリーブ１の外周面１ｃ（傾斜面１ｃ１）が、ストッパー２の内面に沿って摺動し、縮径手段２ａ（傾斜面２ａ１）によってスリーブ１の外周面１ｃを径方向内側に押圧する。それにより、スリーブ１が弾性変形部１ａ（切欠部１ａ１）で縮径変形されて、スリーブ１の内周面１ｂ（凹凸面１ｂ１）が可撓管Ｂの外表面Ｂ１に密着し、可撓管Ｂの抜け移動が阻止される。
したがって、外表面Ｂ１が平滑な可撓管Ｂであっても確実に制動することができる。
その結果、平滑な外表面Ｂ１の可撓管Ｂが設定長さ以上に引き出されることを防止でき、それに伴って平滑な外表面Ｂ１の可撓管Ｂが必要以上に折り曲げられることがなくなるため、損傷や水漏れ事故などを確実に防止することができる。
【００１５】
特に、ストッパー２の縮径手段２ａが、ストッパー２の内面において軸方向端部に向かって徐々に縮径するように形成される傾斜面２ａ１である場合には、吐水具Ｃの引き出しによる可撓管Ｂの引き出し移動に伴い、ストッパー２が移動規制部材Ｄに突き当たって移動不能となった状態で、可撓管Ｂをそれ以上に移動させることにより、可撓管Ｂの平滑な外表面Ｂ１とスリーブ１の内周面１ｂ（凹凸面１ｂ１）の摩擦抵抗でスリーブ１が同方向へ連動し、それに伴いスリーブ１の外周面１ｃが縮径手段２ａとなるストッパー２の傾斜面２ａ１に沿って摺動するため、スリーブ１がスムーズに縮径変形して、スリーブ１の内周面１ｂが可撓管Ｂの外表面Ｂ１に密着する。
したがって、簡単な構造でスリーブ１を確実に縮径変形させて可撓管Ｂの抜け移動を阻止することができる。
さらに、スリーブ１の外周面１ｃが縮径手段２ａとなる傾斜面２ａ１とほぼ平行な傾斜面１ｃ１である場合には、スリーブ１を更にスムーズに縮径変形させることができて、可撓管Ｂの抜け移動をより確実に阻止できる。
次に、本発明の一実施例を図面に基づいて説明する。
【実施例】
【００１６】
この実施例は、図１〜図５に示すように、スリーブ１の軸方向両端部に一対の弾性変形部１ａをそれぞれ形成し、スリーブ１の軸方向両端部の外周面１ｃと対向するストッパー２の軸方向両端部の内面に、一対の縮径手段２ａをそれぞれ形成したものである。
図１〜図５に示される例では、弾性変形部１ａが、スリーブ１の軸方向両端部それぞれ形成される複数の切欠部１ａ１と、スリーブ１の軸方向全長に亘り形成されるスリット１ａ２を有し、ストッパー２の軸方向両端部の内面に縮径手段２ａとして、ストッパー２の軸方向端部に向かって徐々に縮径するように形成される第一の傾斜面２ａ１と第二の傾斜面２ａ１をそれぞれ形成している。
【００１７】
さらに、図１〜図５に示される例では、ストッパー２が、二つの分割部２１，２２がヒンジ部２３を介して開閉動自在に形成され、二つの分割部２１，２２を、係止爪２４ａと係止孔２４ｂなどからなる着脱自在な連結手段２４で、重なり合わせて結合させることにより、円筒形状となるように構成している。
また、その他の例として図示しないが、ストッパー２がヒンジ部２３を設けずに完全に分離され、これら分離された部材をネジや接着剤などの固着手段を用いて結合させたり、スリーブ１がストッパー２と同様にヒンジ部を介して二つの分割部位が開閉動自在に形成されて略円筒状に変形させたりすることも可能である。
【００１８】
このような本発明の実施例に係る可撓管用制動装置Ａによると、可撓管Ｂに対してスリーブ１及びストッパー２をどの向きで取り付けても、可撓管Ｂがその軸方向のいずれかに移動してストッパー２が移動規制部材Ｄに突き当たることにより、縮径手段２ａでスリーブ１の外周面１ｃが径方向内側に押圧されて縮径変形し、スリーブ１の内周面１ｂが可撓管Ｂの外表面Ｂ１に密着する。
したがって、可撓管Ｂに対するストッパー２の取り付け向きに関係なく可撓管Ｂの両方向への移動を確実に阻止することができる。
その結果、組み立て性と安全性を向上させることができるという利点がある。
【００１９】
特に、図１〜図５に示される例のように、ストッパー２が、二つの分割部２１，２２がヒンジ部２３を介して開閉動自在に設けられ、二つの分割部２１，２２を連結手段２４で重なり合わせて結合する場合には、完全に分離された部材を固着手段で結合させるものに比べ、組み立て性に優れるという利点がある。
さらに、スリーブ１の軸方向全長に亘りスリット１ａ２を形成した場合には、可撓管Ｂを配管接続したままの状態で、可撓管Ｂの最適位置に可撓管用制動装置Ａを簡単に取り付けることができて利便性に優れるという利点もある。
【００２０】
なお、前示実施例では、スリーブ１の軸方向両端部に弾性変形部１ａをそれぞれ形成し、ストッパー２の軸方向両端部の内面に、一対の縮径手段２ａをそれぞれ形成したが、これに限定されず、スリーブ１の軸方向一端部に弾性変形部１ａを一つ形成し、ストッパー２の軸方向一端部の内面に、一つの縮径手段２ａを形成しても良い。
【符号の説明】
【００２１】
１  スリーブ                            １ａ  弾性変形部
１ｃ  外周面                            ２  ストッパー
２ａ  縮径手段                          ２ａ１  傾斜面
Ｂ  可撓管                              Ｂ１  外表面
Ｃ  吐水具                              Ｄ  移動規制部材
【図１】
2014055421.tif 000003
【図２】
2014055421.tif 000004
【図３】
2014055421.tif 000005
【図４】
2014055421.tif 000006
【図５】
2014055421.tif 000007